(57)【要約】【課題】  見る者が視線をずらすことなく、まっすぐに見ているだけで、画像プレートの画像を変化させて見せることができ、変化する画像の特徴を十分に活かすことができる画像表示装置を提供することである。【解決手段】  視線の方向によって変化する画像を表示した画像プレート２と、この画像プレートを、回動軸部材６を介して回動自在に支持し、回転モータＭ１を用いて、視線を固定したときに画像が変化して見える方向に上記画像プレート２を回動させる。【選択図】  図２
0003149843.tif 000002
【実用新案登録請求の範囲】
【請求項１】
視線の方向によって変化する画像を表示した画像プレートと、この画像プレートを回動自在に支持する支持機構と、視線を固定したときに画像が変化して見える方向に上記画像プレートを回動させる回動機構とを備えた画像表示装置。
【考案の詳細な説明】
【技術分野】
【０００１】
この発明は、視線の方向によって画像が変化する画像プレートを支持し、変化した画像を見せるための画像表示装置に関する。
【背景技術】
【０００２】
従来から、見る方向によって画像が変化する画像プレートがあるが、このようなシートは、画像が変化しないものと比べて面白く、インパクトがある。そのため、宣伝効果を期待して、例えば、商品や、モデルの顔などが、見る方向によって変化する画像プレートを、小売店の店頭広告として利用することがあった。このような画像プレートを、店舗の壁や商品棚に取り付けておくと、来店した顧客は、画像プレートに対し、顔を動かしたり、姿勢を変えたりして、異なる画像を見ることができた。
あるいは、上記画像プレートを、風などの僅かな外力によって揺動する素材で形成した支柱の先端に取り付け、扇風機などで風をおくり、画像プレートがゆらゆらと揺れることによって、変化する画像を見せるものもあった（特許文献１参照）。
【先行技術文献】
【特許文献】
【０００３】
【特許文献１】実開平６−３６０８２号公報
【考案の概要】
【考案が解決しようとする課題】
【０００４】
従来は、上記のような画像プレートを、店舗の壁や商品棚などに固定的に取り付けていたので、見る者が、姿勢を変化させるなどして、視線の方向を変えなければ、変化する画像を見ることができなかった。そのため、特別な画像プレートを用いているのに、人によっては画像が変化することに気が付かないこともあって、期待したほどのインパクトを与えることができず、宣伝効果も不十分であった。
【０００５】
また、特許文献１に記載されたように、風などで揺動する支柱に画像プレートを取り付けた場合には、その揺動方向や、揺動範囲が一定にならない。そのため、上記画像プレートが目的とした変化を十分に見せることができないことがあった。
なぜなら、上記画像プレートは、例えば、縦方向に視線を変化させた場合に画像が変化するものや、横方向に視線を変化させた場合に画像が変化するものがある。つまり、画像によって、視線をずらす方向を変えなければ、変化した画像を見ることができない。しかし、風で揺動する画像プレートは、その揺動方向や揺動範囲が不安定で、固定した視線に対し、画像が変化する方向に揺動するとは限らないからである。
この考案の目的は、視線を意識的にずらさない人に対しても、画像プレートの画像を変化させて見せることができ、変化する画像の特徴を十分に活かすことができる画像表示装置を提供することである。
【課題を解決するための手段】
【０００６】
第１の考案は、視線の方向によって変化する画像を表示した画像プレートと、この画像プレートを回動自在に支持する支持機構と、視線を固定したときに画像が変化して見える方向に上記画像プレートを回動させる回動機構とを備えた点に特徴を有する。
【考案の効果】
【０００７】
この考案によれば、画像表示装置の回動手段が、画像プレートの画像が変化する方向に、シートを回動させるので、見る者が視線の方向を意識的に変えなくても、変化した画像を見ることができる。言い換えれば、変化する画像を確実に見せることができるので、この装置を広告宣伝に利用すれば、静止画とは違った宣伝効果を期待できる。
【図面の簡単な説明】
【０００８】
【図１】実施例１の斜視図である。
【図２】実施例１の主要部を、本体を省略して示した斜視図である。
【図３】実施例２の主要部を、本体を省略して示した斜視図である。
【図４】実施例３の主要部を、本体を省略して示した斜視図である。
【考案を実施するための形態】
【０００９】
視線を意識的にずらさない人に対しても、画像プレートの画像を変化させて見せることができ、視線の方向によって変化する画像の特徴を十分に活かすことができる画像表示装置を実現した。
【実施例１】
【００１０】
図１、図２にこの考案の実施例１を示す。
実施例１の画像表示装置は、図１に示すように、本体１に対し、画像プレート２を回動自在に取り付けたものである。なお、この実施例１の画像プレート２は、その表面に、視線を上下方向にずらしたときに、内容が変化して見える画像を印刷したものである。
また、上記本体１は、円筒の基台２と、この基台２上に設けたカバー４とからなる。このカバー４は、底面をほぼ半円とした筒状部材であり、前面には矩形の窓４ａを開口させるとともに、天井面の中央には三角形の切り欠き４ｂを形成している。
【００１１】
図２は、本体１を省略し、画像プレート２の背面側から見た図であるが、図２に示すように、上記画像プレート２の裏面には、取り付け部材５を介して回転軸部材６を取り付けている。この取り付け部材５は、画像プレート２の裏面に接着する円盤状の固定部５ａと、この固定部５ａから画像プレート２の背面方向へ突出する軸部５ｂと、この軸部５ｂに直交して画像プレート２面に平行な筒状の支持部５ｃとからなる。そして、この支持部５ｃに回転軸部材６を貫通させて固定するとともに、その両端を上記カバー４の両側面に回転可能に取り付けている。具体的には、上記カバー４の両側面内側に、上記回転軸部材６を支持する図示しない軸受け部を設けている。この軸受け部と上記回転軸部材６とで、この発明の画像プレートを回動自在に支持する支持機構を構成している。
【００１２】
一方、上記基台３内には、図２に示す回転モータＭ１を設け、この回転モータＭ１の回転軸７を基台３からカバー４内に突出させるとともに、この回転軸７には、回転軸７に直交する棒部材８を設けている。
そして、回転モータＭ１を回転させたとき、上記棒部材８の両端が交互にカバー４の窓４ａから突出して、画像プレート２の裏面に接触したり離れたりするようにしている。
また、上記棒部材８は、上記回転軸部材６よりも下方に位置するように、回転軸７に設けている。
【００１３】
そのため、上記回転モータＭ１が回転して、棒部材８の端部が前方へ突出すると、画像プレート２の下部を前方へ押し出し、棒部材８が後退すると画像プレート２が自重で垂直に垂れ下がる。そのため、モータＭ１が回転すると、画像プレート２が図１の矢印のように、上記回動軸部材６を中心にして上下方向に回動することになる。回動軸部材６、上記回転モータＭ１、及び棒部材８とが相まって、この考案の回動機構を構成している。
【００１４】
また、上記画像プレート２は、上下方向に見る方向を変えると画像が変化して見えるものなので、この実施例１の画像表示装置を用いれば、見る者がわざわざ見る方向を変えなくても、変化した画像を見せることができる。
従って、このような画像表示装置を店頭に設ければ、変化する画像を自然に見せることができ、より大きな宣伝効果を期待できる。
【００１５】
なお、上記画像プレート２が上下方向に回動する際には、画像プレート２の裏面に設けた取り付け部材５の軸部５ｂが、回動軸部材６を中心に上下するが、上記カバー４の天井面には切り欠き４ａを形成しているので、この軸部５ｂが上に上がったときにカバー４にぶつかることがない。この切り欠き４ａは、必須の構成要素ではないが、このような切り欠き４ａを形成することによって、上記軸部５ｂの回動範囲、すなわち、画像プレート２の回動範囲をより大きくすることができる。
【実施例２】
【００１６】
図３に示す実施例２は、見る方向を左右方向にずらしたとき、画像が変化して見える画像プレート２を用いる画像表示装置である。
この実施例２の画像表示装置も、図３では省略しているが、図１に示す実施例１と同様の本体１を用いている。そして、実施例１と同様の構成要素には、実施例１と同じ符号を用いている。
【００１７】
この実施例２の画像表示装置は、図３に示すように、画像プレート９の裏面に取り付け部材５を固定している。この取り付け部材５は、上記実施例１の取り付け部材５と同じ部材である。ただし、この実施例２では、その取り付け方向が実施例１と異なり、支持部５ｃが垂直になるようにしている。そして、この支持部５ｃに回動軸部材６を貫通させて固定している。さらに、回動軸部材６を垂直に起立した状態で回転自在に保持するこの考案の支持機構である軸受け部１０を備えている。この軸受け部１０は、図示していないが、上記本体１の基台３上であって、カバー４より前方に設けている。
【００１８】
また、上記回動軸部材６の後方の基台３内には、回転モータＭ２を設け、その回転軸７を上記カバー４内に突出させている。そして、回転軸７には、一対の棒部材８ａ，８ｂを所定の角度を保って固定している。この棒部材８ａ，８ｂは、回転モータＭ２の回転に伴って、上記カバー４の窓４ａから突出して、画像プレート９を前方へ押し出すことができる寸法及び位置を保っている。
なお、この実施例２用いるモータＭ２は、回転時に、一定以上の負荷がかかると反転する機能を有するモータである。
【００１９】
このような画像表示装置において、上記モータＭ２が回転し、例えば、回動軸部材６が時計回りに回転すると、一方の棒部材８ａが回転軸７を中心に時計方向に回転しながら、画像プレート９の裏面に接触して、接触した側を前方へ押し出す。そして、この棒部材８ａが回動軸部材６に衝突して、回転を阻止されると、回転モータＭ２には負荷が作用するので、回転モータＭ２は回転方向を反転し、すなわち反時計回りに回転し始める。
回転モータＭ２が反時計周りに回転すると、もう一方の棒部材８ｂが、画像プレート９に接触して、そちら側を前方へ押し出す。そして、この棒部材８ｂが回動軸部材６に衝突して回転が阻止されると、上記回転モータＭ２は反転する。つまり、回転モータＭ２が時計回りと反時計回りとを繰り返すことになる。
【００２０】
上記ように、回転モータＭ２が方向を交互に変えながら回転すると、画像プレート９は棒部材８ａ，８ｂで交互に押し出され、背後に垂直に起立している回動軸部材６を中心に左右に回動することになる。この実施例２では、回動軸部材６、上記回転モータＭ２、及び棒部材８ａ，８ｂとが相まって、この考案の回動機構を構成している。
そして、上記画像プレート９は、左右方向に見る方向を変えると画像が変化して見えるものなので、この実施例２の画像表示装置を用いれば、画像プレート９を前からみたとき、見る者がわざわざ見る方向を変えなくても、変化した画像を見せることができる。
【実施例３】
【００２１】
図４に示す実施例３は、上記実施例２の画像プレート９を回動させて見せる画像表示装置である。この実施例３の画像表示装置も、上記本体１を用い、実施例１、実施例２と同様の構成要素には、同じ符号を用いて説明する。
この実施例３では、回転モータＭ３の回転軸７に直接取り付け部材５を固定している。そして、回転モータＭ３を本体１の基台３内に設けるとともに、回転軸７をカバー４内に起立させ、さらに、取り付け部材５の軸部５ｂをカバー４の窓４ａから前方へ突出させている。
【００２２】
また、基台３内には、図示しない制御回路を設け、上記モータＭ３の回転方向を所定の間隔で逆転させるようにしている。
従って、回転モータＭ３の回転によって、画像プレート９を回転軸７を中心に左右方向に回動させることができる。
【００２３】
この実施例３の画像表示装置も、画像プレート９を前からみたとき、見る者がわざわざ見る方向を変えなくても、変化した画像を見せることができる。
この実施例３では、上記回転モータＭ３の回転軸７と取り付け部材５とで、画像プレート９を回動自在に支持する支持機構を構成し、上記回転モータＭ３と取り付け部材５とで、この考案の回動機構を構成している。
【００２４】
なお、この実施例３では、モータＭ３の回転方向を、所定の間隔で逆転させるように制御しているが、上記実施例２で用いた回転モータＭ２を用いることもできる。その場合には、回転軸７を中心に回動する画像プレート９の幅を、カバー４の窓４ａの開口幅よりも大きくし、左右方向に回動したとき、所定の回転角においてカバー４に衝突するように構成する。画像プレート９が、カバー４に衝突することによって回転軸７に負荷が作用すれば、上記回転モータＭ２が逆転することになる。
また、上記実施例２の画像表示装置の回転モータＭ２に替えて、この実施例３の回転モータＭ３を用いるようにしてもよい。
【産業上の利用可能性】
【００２５】
立体画像などを設けた画像プレートを用いて、効果的な宣伝広告に適用できる。
【符号の説明】
【００２６】
１    本体
２    画像プレート
５    取り付け部材
６    回動軸部材
７    回転軸
８ａ，８ｂ    棒部材
８    棒部材
９    画像プレート
１０    軸受け部
【図１】
0003149843.tif 000003
【図２】
0003149843.tif 000004
【図３】
0003149843.tif 000005
【図４】
0003149843.tif 000006